(57)【要約】      （修正有）【課題】天井下地部材に既に固定されている天井仕上部材に隣接して略同一形状の天井仕上部材を連設する際に使用される簡便で安全性のある隣接仕上部材連結具を提供する。【解決手段】隣接仕上部材連結具１は下方に開口部を形成するコ字形状のものからなり、上面側に保持部１ｂ及び保持部１ｃを連結形成するものであり、その中間部に係止部１ａが一体的に錠状に折り曲げ形成されている。【選択図】図１
0003175802.tif 000002
【実用新案登録請求の範囲】
【請求項１】
端縁を有する固定側の下地部材の下面側に固定された端縁を有する仕上部材に所定の間隙を介して略同一形状の仕上部材を隣接して連結する際に使用する連結具であって、該連結具は既に固定されている前記仕上部材の端縁に前記間隙を介して着脱可能に係着する係止部を有すると共に既に固定されている前記仕上部材の下面側を保持する保持部と隣接する前記仕上部材の下面側を保持する保持部とを一体的に形成する形状のものからなることを特徴とする隣接仕上部材連結具。
【考案の詳細な説明】
【技術分野】
【０００１】  本考案は、例えば固定されている天井下地部材の下面に既に固定されている天井仕上部材に隣接して略同一形状の天井仕上部材を連結する際に使用される連結具に関する。
【背景技術】
【０００２】  例えば、図６に示すように、固定されている天井下地部材２の下面に重量物の天井仕上部材３を所定位置に固定するにはこれを下方から支持する多くの作業者８が必要であると共に既に固定されている天井仕上部材３と隣接して略同一形状の天井仕上部材３Ａを連結する取付作業においては天井仕上部材３Ａを下方から支持する多くの作業者８が必要であり、安全性の問題や作業効率等の問題から対策することが望まれている。【０００３】  なお、天井仕上部材３，３Ａとしては各種の形状のものがあるが、一例として天井下地部材２側に当接する上面側のフランジ面５と下方面を形成する下面側のフランジ面６とを一体的に形成するものが挙げられる。なお、上面側のフランジ面５及び下面側のフランジ面６とも突出している端縁を有するものであり、上面側のフランジ面５の端縁の突出端は下面側のフランジ面６の端縁の突出端よりも長い寸法からなる。これは天井仕上部材３，３Ａの固定完了時において下面側に間隙７（図３等に示す）を形成し、美観を向上させるためのものである。【０００４】  また、既に固定されている天井仕上部材３に対して隣接する天井仕上部材３Ａを略同一形状のものと前記したのは図３に示すように既に固定されている天井仕上部材３の全体高さ寸法ａに対して隣接する天井仕上部材３Ａの全体の高さａ′は上面側のフランジ面５の厚みｔの分だけ低いものから形成されているためのものであり、他の形状は同一のものからなる。なお、このようにしたのは既に固定されている天井仕上部材３の下面側のフランジ面６と隣接する天井仕上部材３Ａの下面側のフランジ面６Ａとを同一水平面上に保持するためのものである。
また、図３等に示すように既に固定されている天井仕上部材３の下面側のフランジ面６の端縁と隣接する天井仕上部材３Ａの下面側フランジ面６Ａの隣接側の端縁との間には前記のように間隙７が形成されている。【０００５】  前記のように、従来の天井仕上部材の連結には前記のような問題点があり、この解決のための連結具が必要であるが、出願入の調査によれば後に説明する本考案の隣接仕上部材連結具のような公知技術は見当らず、係止部の如きものを有する連結具としては「特許文献１」が挙げられるが本考案とは相異する。
【先行技術文献】
【特許文献】
【０００６】
【特許文献１】特開平５−２０８７１２号（図１）  この「特許文献１」の連結具（１０）は、係止片（１０），（１４）を有し、連結時にこの係止片（１２）等を用いるものであるが後に説明するような保持部等を一体的に形成する構造のものではない。
【考案の概要】
【考案が解決しようとする課題】
【０００７】  既に固定されている天井仕上部材３に隣接する略同一形状の天井仕上部材３Ａを連結するには既に固定されている天井仕上部材３に係着してこれに保持されている形状の連結具が必要であり、この連結具には隣接する天井仕上部材３Ａの下面を保持する保持部が一体的に形成されているものが望ましい。また、連結具としては使用後取り外し出来るものであることが必要であり、係止部としては前記間隙７を介して挿脱可能のものであることが必要となる。【０００８】  本考案は、以上の要請に鑑みて考案されたものであり、既に固定されている天井仕上部材に係着してこれを保持すると共にこの状態で隣接する天井仕上部材を保持することが出来る連結具を提供することを目的とする。
【課題を解決するための手段】
【０００９】  本考案は、以上の目的を達成するために請求項１の考案は、端縁を有する固定側の下地部材の下面側に固定された端縁を有する仕上部材に所定の間隙を介して略同一形状の仕上部材を隣接して連結する際に使用する連結具であって、該連結具は既に固定されている前記仕上部材の端縁に前記間隙を介して着脱可能に係着する係止部を有すると共に既に固定されている前記仕上部材の下面側を保持する保持部と隣接する前記仕上部材の下面側を保持する保持部とを一体的に形成する形状のものからなることを特徴とする。
【考案の効果】
【００１０】  本考案の請求項１の隣接仕上部材連結具によれば、隣接仕上部材連結具は既に固定されている天井仕上部材に係着して安定保持され更に隣接する天井仕上部材を保持する保持部を有するため、隣接する天井仕上部材はその下面を前記保持部に保持させることにより連設状態に保持される。これにより、少数の作業員のみにより隣接する天井仕上部材を天井下地部材に固定させることが容易に、かつ安定的に出来る。
【図面の簡単な説明】
【００１１】
【図１】本考案の隣接仕上部材連結具の全体構造を示すもので（ａ）はその斜視図であり、（ｂ）は（ａ）のＡ−Ａ線断面図。
【図２】本考案の隣接仕上部材連結具を用いた天井仕上部材の連設状態を示す断面図。面図。
【図３】隣接仕上部材連結具の係着状態を詳細に説明するための部分断面図。
【図４】係着されている隣接仕上部材連結具に隣接する天井仕上部材を連設する途中の状態を示す断面図。
【図５】用済の隣接仕上部材連結具の取り外し状態を示す断面図。
【図６】従来の隣接する天井仕上部材の連設時の作業状態の問題点を説明するための模式的断面図。
【考案を実施するための形態】
【００１２】  以下、本考案の隣接仕上部材連結具の実施の形態を図面を参照して詳述する。
図１（ａ），（ｂ）に示すように隣接仕上部材連結具１は下方に開口部を形成するコ字形状のものからなり、上面側に保持部１ｂ及び保持部１ｃを連結形成するものであり、その中間部に係止部１ａが一体的に錠状に折り曲げ形成されている。なお、この係止部１ａの寸法は前記の間隙７を挿出出来るものからなる。勿論、係止部１ａは別体のものを溶接等により固定したものでもよいが、一体的構造のものがコスト的にも望ましい。
【００１３】  次に、この隣接仕上部材連結具１を用いた天井仕上部材の連設方法を説明する。
まず、図４に示すように天井下地部材２に既に固定されている天井仕上部材３の下面側のフランジ面６の端縁に隣接仕上部材連結具１の係止部１ａを係着させその保持部１ｂを下面側のフランジ面６に当接させる。これにより、隣接仕上部材連結具１は既に固定されている天井仕上部材３に安定的に保持される。なお、この状態でもう一方の保持部１ｃは水平に張り出した状態に保持される。従って、図４に示すように隣接する天井仕上部材３Ａをこの保持部１ｃによって保持させ作業が行われる。
【００１４】  図３は隣接する天井仕上部材３Ａの保持された状態を示すものであり、前記のように下面側のフランジ面６，６Ａを同一水平面上に保持した状態で隣接する天井仕上部材３Ａは片持ち支持される。なお、図３に示すように隣接する天井仕上部材３Ａの上面側のフランジ面５Ａは既に固定されている天井仕上部材３の上面側のフランジ面５の下面に当接して重合される。この重合部は図示されていないが固定用の取付具により固定される部位であり、取付具は間隙７を介して出入可能である。
【００１５】  図２は隣接する天井仕上部材３Ａの連設した状態を示すものであるが、この状態では隣接する天井仕上部材３Ａは片持ち保持のためＢ矢視のように下方から作業員（図略）により保持する必要があるが、同一出願人の他の出願による仕上部材支持具（図略）を用いて隣接する天井仕上部材３Ａの自由端縁側を天井下地部材２に支持させることにより作業員による支持は不要となる。
【００１６】  図５は隣接する天井仕上部材３Ａの連設作業が終了した状態における隣接仕上部材連結具１の取り外しの状況を示すものである。前記のように係止部１ａは間隙７よりも小さい寸法のものからなり、係着の解除と取り外しは容易に出来、隣接仕上部材連結具１は再使用することが出来る。
【００１７】  本考案は、以上の説明の内容からなるが、その内容は以上の説明に限定するものではなく、同一技術的範疇のものが適用されることは勿論である。
【産業上の利用可能性】
【００１８】  本考案は、前記のように建物の天井に関して説明しているが、本考案の利用範囲は天井に限定するものではなく、重量物を連設保持する必要のある部位に適用可能であり、その利用範囲は広い。
【符号の説明】
【００１９】  １    隣接仕上部材連結具
１ａ  係止部
１ｂ  保持部
１ｃ  保持部
２    天井下地部材
３    天井仕上部材
３Ａ  天井仕上部材
４    取付具
５    上面側のフランジ面
５Ａ  上面側のフランジ面
６    下面側のフランジ面
６Ａ  下面側のフランジ面
７    間隙
８    作業員
【図１】
0003175802.tif 000003
【図２】
0003175802.tif 000004
【図３】
0003175802.tif 000005
【図４】
0003175802.tif 000006
【図５】
0003175802.tif 000007
【図６】
0003175802.tif 000008